(57)【特許請求の範囲】
【請求項１】
線状火工品の端部同士を伝爆可能に接続する装置であって、奥部で互いに連通した少なくとも２つの接続用孔を有し且つ各接続用孔に挿入した線状火工品の端部同士を近接状態で保持するカプラーを備え、
線状火工品が、チューブの内壁に爆薬を塗布して成るＮＯＮＥＬチューブ（登録商標）であると共に、その端部外側に、補強用チューブを介して概略円筒形状のコネクタが装着してあり、
前記補強用チューブは、樹脂チューブと、樹脂チューブの外側を被う金属管を備え、金属管を加締めることにより線状火工品の端部外側に固定してあり、
前記コネクタをカプラーの接続用孔に挿入することを特徴とする線状火工品の接続装置。
【請求項２】
前記補強用チューブが、その端部から線状火工品の末端を突出状態にしていることを特徴とする請求項１に記載の線状火工品の接続装置。
【請求項３】
線状火工品の接続側の端面に、爆轟波により破裂する防湿用フィルムを設けたことを特徴とする請求項１又は２に記載の線状火工品の接続装置。
【発明の詳細な説明】
【技術分野】
【０００１】
本発明は、例えばＮＯＮＥＬチューブ（登録商標）や導爆線，ＴＬＸなどの線状火工品の端部同士を伝爆可能に接続するのに用いる線状火工品の接続装置に関するものである。
【背景技術】
【０００２】
一般に、線状火工品としては、火薬を心薬としてこれに被覆を施した導火線、爆薬を心薬としてこれに被覆を施した導爆線、あるいは樹脂製チューブの内壁に爆薬を塗布したＮＯＮＥＬチューブ（ノンネルチューブ）やＴＬＸ（Ｔｈｉｎ  Ｌａｙｅｒ  Ｅｘｐｌｏｓｉｖｅ）などが知られている。
【０００３】
この中でも、ＮＯＮＥＬチューブは、ＮＯＮＥＬ雷管やＮＯＮＥＬコネクタとともに非電気式点火起爆システムを構成する。このシステムは、点火起爆に導爆線や工業雷管を使用し、電気雷管を用いないので、静電気や迷走電流などの影響を受けないという利点がある。そして、ＮＯＮＥＬチューブの端部同士を接続する装置、すなわちＮＯＮＥＬコネクタには、伝爆用のミニ雷管とプラスチック製のコネクティングブロックが用いられていた。
【非特許文献１】『産業火薬』日本産業火薬会資料編集部、昭和６０年４月１０日、ｐ．１０５−１０６
【発明の開示】
【発明が解決しようとする課題】
【０００４】
ところが、上記のＮＯＮＥＬコネクタのような従来の接続装置にあっては、起爆薬や伝爆薬などの爆薬を装填した雷管を用いていたため、その作動によりコネクティングブロックが破壊されて破片が飛散する恐れがあり、これにより使用環境が限られたものになるという問題点があることから、このような問題点を解決することが課題であった。
【０００５】
なお、コネクティングブロックの破壊を防ぐには、当然のことながら充分な強度を有するものを用いれば良いのであるが、この場合には、接続装置の大型化や製造コストの増大を招くこととなる。
【０００６】
本発明は、上記従来の課題に着目して成されたものであって、きわめて簡単な構造であると共に、接続部材の破壊を伴うことなく線状火工品の伝爆を良好に行うことができる線状火工品の接続装置を提供することを目的としている。
【課題を解決するための手段】
【０００７】
本発明の線状火工品の接続装置は、線状火工品の端部同士を伝爆可能に接続する装置であって、奥部で互いに連通した少なくとも２つの接続用孔を有し且つ各接続用孔に挿入した線状火工品の端部同士を近接状態で保持するカプラーを備え、線状火工品が、チューブの内壁に爆薬を塗布して成るＮＯＮＥＬチューブ（登録商標）であると共に、その端部外側に、補強用チューブを介して概略円筒形状のコネクタが装着してあり、前記補強用チューブは、樹脂チューブと、樹脂チューブの外側を被う金属管を備え、金属管を加締めることにより線状火工品の端部外側に固定してあり、前記コネクタをカプラーの接続用孔に挿入する構成としており、上記構成をもって従来の課題を解決するための手段としている。
【０００８】
本発明の線状火工品の接続装置は、より好ましい実施形態として、前記補強用チューブが、その端部から線状火工品の末端を突出状態にしていることを特徴とし、さらに、線状火工品の接続側の端面に、爆轟波により破裂する防湿用フィルムを設けたことを特徴としている。
【発明の効果】
【０００９】
本発明の線状火工品の接続装置は、線状火工品の端部同士を近接状態で保持するカプラーを採用したことから、爆薬を装填した雷管が不要となり、構造をきわめて簡単なものにすることができると共に、接続部材の破壊を伴うことなく線状火工品の伝爆を良好に且つ安全に行うことができ、また、取り付けに方向性を有する雷管が不要であるから、いずれの側からでも接続して伝爆を行うことができ、接続作業の簡略化などにも貢献し得る。
【００１０】
また、本発明の線状火工品の接続装置は、線状火工品としてＮＯＮＥＬチューブを用いることで、より好適なものとなり、ＮＯＮＥＬチューブの伝爆をより良好に且つより安全に行い得るものとなる。
【００１１】
さらに、本発明の線状火工品の接続装置は、カプラーと、線状火工品の端部外側に補強用チューブを介して装着したコネクタとを接続するようにしたことから、線状火工品の端部を充分に補強し且つ保護し得ると共に、同端部が取り扱い易くなり、接続作業をより簡単にすることができる。
【００１２】
さらに、本発明の線状火工品の接続装置は、線状火工品の接続側の端面に、爆轟波により破裂する防湿用フィルムを設けたことから、接続前において爆薬が吸湿により使用不能になるのを未然に防ぐことができ、線状火工品の性能を良好に維持することができる。
【実施例】
【００１３】
図１及び図２は本発明に係わる線状火工品の接続装置の一実施例を説明する図である。
【００１４】
図１に示す線状火工品の接続装置は、線状火工品の端部同士を伝爆可能に接続するものであって、この実施例では、線状火工品として、樹脂製のチューブの内壁に爆薬（例えばＨＭＸ＋Ａｌ）を塗布して成るＮＯＮＥＬチューブ１を例示しており、２本のＮＯＮＥＬチューブ１，１を同軸状に接続する。
【００１５】
接続装置は、奥部で互いに連通した２つの接続用孔２，２を有するカプラー３を備えている。カプラー３は、概略円筒形状を成すと共に、樹脂製又は金属製の部材であって、相反する方向に開口した２つの接続用孔２，２を同軸状に備えており、各接続用孔２，２に挿入したＮＯＮＥＬチューブ（線状火工品）１の端部同士を近接状態で保持する。
【００１６】
このとき、ＮＯＮＥＬチューブ１は、その端部外側に、図２にも示す補強用チューブ４を介してコネクタ５が装着してある。
【００１７】
補強用チューブ４は、樹脂チューブ６の外側に、同チューブ６の接続側の端面までを被う金属管７を設けたものであって、ＮＯＮＥＬチューブ１の端部外側に装着すると共に、ＮＯＮＥＬチューブ１の接続側の末端を僅かに突出状態にしている。そして、補強用チューブ４は、金属管７に対して軸線方向に所定間隔で加締め（Ｑ）を施すことにより、ＮＯＮＥＬチューブ１の端部に固定してある。
【００１８】
なお、補強用チューブ４において、樹脂チューブ６には、例えばシリコン製チューブが用いられ、また、金属管７には、例えば銅管が用いられる。
【００１９】
コネクタ５は、概略円筒形状を成すと共に、樹脂製であって、接続側の端部に、ＮＯＮＥＬチューブ１の外径に対応した内径を有する開口部８が形成してあると共に、反対側の端部内側に、めねじ９が形成してあり、さらに、外周部に、カプラー３との接続状態において接続用孔２の開口端面に当接するフランジ１０が設けてある。
【００２０】
そして、コネクタ５は、その内部に補強用チューブ４を挿入し、且つ金属管７から僅かに突出したＮＯＮＥＬチューブ１の末端を開口部８に嵌合して、開口部８からＮＯＮＥＬチューブ１の端面を露出させると共に、補強用チューブ４との間に接着剤を充填し、さらに、予めＮＯＮＥＬチューブ１を貫通状態にしておいた抜止め栓１１を反接続側の端部に螺着する。この状態において、コネクタ５は、その内部で補強用チューブ４の端面に抜止め栓１１が当接し、補強用チューブ４とともにＮＯＮＥＬチューブ１の端部を拘束する。
【００２１】
さらに、上記の如くコネクタ５にＮＯＮＥＬチューブ１及び補強用チューブ４を装着した後には、ＮＯＮＥＬチューブ１の端面が面一状態で露出しているコネクタ５の端面に防湿用フィルム１２を貼り付けて、この防湿用フィルム１２でＮＯＮＥＬチューブ１の端面を完全に閉塞する。
【００２２】
防湿用フィルム１２は、例えば樹脂製のフィルムであって、液体に対して非透過性であると共に、ＮＯＮＥＬチューブ１の点火起爆によって生じる爆轟波で確実に破裂させることができるものであり、不用意に剥がれることの無いようにコネクタ５の端面に溶着し、あるいは接着剤を用いて接着してある。なお、防湿用フィルム１２は、実際には図示したものよりもはるかに薄い。
【００２３】
上記の接続装置は、ＮＯＮＥＬチューブ１に補強用チューブ４及びコネクタ５を装着した状態で保管され、この際、ＮＯＮＥＬチューブ１の端面を防湿用フィルム１２で閉塞しているので、ＮＯＮＥＬチューブ１の爆薬が吸湿により使用不能になるのを未然に防ぐことができ、ＮＯＮＥＬチューブ１の性能を良好に維持することができる。
【００２４】
そして、上記の接続装置は、２本のＮＯＮＥＬチューブ１，１を接続する使用時には、カプラー３の各接続用孔２にＮＯＮＥＬチューブ１と一体化したコネクタ５を夫々挿入すると共に、必要に応じてカプラー３とコネクタ５との間に適当な固定手段を設けて双方を固定し、カプラー３の内部において、両ＮＯＮＥＬチューブ１の互いの端面を近接ないしは防湿用フィルム１２同士を接触状態にする。
【００２５】
このとき、当該接続装置は、ＮＯＮＥＬチューブ１の端部にコネクタ５が装着してあるので、その取り扱いがきわめて容易であり、また、カプラー３の両方の接続用孔２及び各ＮＯＮＥＬチューブ１のコネクタ５等が同じ構造であるから、その接続に上流側及び下流側の区別が無く、接続作業を非常に容易に且つ確実に行うことができる。
【００２６】
そして、当該接続装置は、図示しない点火装置で一方のＮＯＮＥＬチューブ１を起爆すると、その爆轟波で防湿用フィルム１２を瞬時に破裂させて、他方のＮＯＮＥＬチューブ１を起爆することとなる。
【００２７】
このように、上記実施例の線状火工品の接続装置は、その構造がきわめて簡単であると共に、爆薬を装填した従来の雷管が不要になるので、カプラー３等の接続部材に樹脂製品を用いても、これらを破壊することなくＮＯＮＥＬチューブ１の伝爆を良好に且つ安全に行うことができ、しかも、カプラー３等の接続部材に樹脂製品を用いることで、軽量化や製造コストの低減にも貢献し得るものとなる。
【００２８】
また、当該接続装置は、上記の如くカプラー３等の接続部材が破壊されることが無く、破片の飛散といった周囲への影響がないので、例えば、周辺に電子機器類を配置するような場合でも充分に対応可能であり、使用環境の制限を広く緩和し得るものとなる。
【００２９】
図３は本発明の線状火工品の接続装置の他の実施例を説明する図である。なお、先の実施例と同一の構成部位は、同一符号を付して詳細な説明を省略する。
【００３０】
図示の接続装置は、３本のＮＯＮＥＬチューブ１を接続するものであって、三つ又のカプラー１３を備えている。すなわち、この接続装置は、図示しない点火装置側に接続した１本のＮＯＮＥＬチューブ１の爆轟を分岐して２本のＮＯＮＥＬチューブ１，１に伝爆させるものである。
【００３１】
この場合、基本構造は先の実施例と同様であるが、接続用孔２とこれに挿入するコネクタ５が、接続側の端部に小径部分を有しており、先の実施例では補強用チューブ４の端部からＮＯＮＥＬチューブ１の末端を僅かに突出状態にしたのに対して、この実施例では補強用チューブ４の端部からＮＯＮＥＬチューブ１の末端を上記小径部分の長さ分だけ突出状態にしている。
【００３２】
また、３本のＮＯＮＥＬチューブ１の互いの端面同士を対向させることはできないので、カプラー１３の中心部分には、各接続用孔２の奥部を互いに連通させる三つ又の連通孔２Ａが形成してあり、この連通孔２Ａを通して爆轟波の伝達が行われることになる。
【００３３】
上記の構成を備えた接続装置にあっても、先の実施例と同様に、構造がきわめて簡単であって、爆薬を装填した従来の雷管が不要となるので、カプラー１３等の接続部材の破壊を伴うことなくＮＯＮＥＬチューブ１の伝爆を良好に且つ安全に行うことができ、接続作業の簡略化などの効果をもたらすものとなる。
【００３４】
なお、本発明の線状火工品の接続装置は、その構成が上記各実施例のみに限定されることはなく、本発明の要旨を逸脱しない範囲で構成の細部を適宜変更することができ、当然のことながら３本以上の線状火工品の接続にも対応し得ると共に、各部材の材料や強度などを選択することで、導爆線の接続にも適用することが可能である。
【００３５】
また、カプラーとその接続用孔に挿入するコネクタとの間には、例えば流体用カプラーにおいてソケットとプラグとの連結に使用される周知の連結機構、ねじ式の連結機構、及び接着剤などの固定手段を用いることができ、これにより双方の固定状態をより強固にすることも有効である。
【図面の簡単な説明】
【００３６】
【図１】本発明に係わる線状火工品の接続装置の一実施例を説明する斜視図（ａ）、側面図（ｂ）及び図ｂ中のＡ−Ａ線に基く断面図（ｃ）である。
【図２】ＮＯＮＥＬチューブ及びコネクタを説明する図であって、接続端面の部分破断状態の正面図（ａ）、側面図（ｂ）及び図ｂ中のＢ−Ｂ線に基く断面図（ｃ）である。
【図３】本発明に係わる線状火工品の接続装置の他の実施例を説明する断面図（ａ）、中心部分の拡大断面図（ｂ）及び斜視図（ｃ）である。
【符号の説明】
【００３７】
１    ＮＯＮＥＬチューブ（線状火工品）
２    接続用孔
３    カプラー
５    コネクタ
１２  防湿用フィルム
１３  カプラー
【図１】
0005305376.tif 000002
【図２】
0005305376.tif 000003
【図３】
0005305376.tif 000004